(57)【特許請求の範囲】
【請求項１】
光ディスクからの反射光を複数分割方式で受光する信号検出用受光素子と、上記信号検出用受光素子の出力電流をそれぞれ電圧に変換する前置増幅器とを備えたサーボ誤差検出機構を有し、変調した光パワーを上記光ディスクに照射して情報を記録する光ディスク装置において、
上記前置増幅器が、周波数帯域を制限する周波数帯域制限手段を備え、記録／再生制御信号の入力により記録時に上記周波数帯域制限手段を動作させ、かつ再生時に動作させないようにし、
上記周波数帯域制限手段は、記録動作中の上記前置増幅器のスルーレートをSRamp、最大出力振幅をVomax、周波数帯域をｆcampとするとき、
ｆcamp≦SRamp／（２×π×Vomax）
を満足するように記録動作中の上記前置増幅器の周波数帯域を制限し、
上記前置増幅器は、
増幅器本体と、
上記増幅器本体に並列に接続された帰還抵抗と、
上記増幅器本体に並列に接続され、かつ相互に縦続接続されたスイッチ及び帰還容量とを備える
ことを特徴とする光ディスク装置。
【請求項２】
光ディスクからの反射光を複数分割方式で受光する信号検出用受光素子と、上記信号検出用受光素子の出力電流をそれぞれ電圧に変換する前置増幅器とを備えたサーボ誤差検出機構を有し、変調した光パワーを上記光ディスクに照射して情報を記録する光ディスク装置において、
上記前置増幅器が、周波数帯域を制限する周波数帯域制限手段を備え、記録／再生制御信号の入力により記録時に上記周波数帯域制限手段を動作させ、かつ再生時に動作させないようにし、
上記周波数帯域制限手段は、記録動作中の上記前置増幅器のスルーレートをSRamp、最大出力振幅をVomax、周波数帯域をｆcampとするとき、
ｆcamp≦SRamp／（２×π×Vomax）
を満足するように記録動作中の上記前置増幅器の周波数帯域を制限し、
上記前置増幅器は、
増幅器本体と、
上記増幅器本体に並列に接続された第１帰還抵抗と、
上記増幅器本体に並列に接続され、かつ相互に縦続接続されたスイッチ及び帰還容量と、
上記帰還容量に並列に接続された第２帰還抵抗とを備える
ことを特徴とする光ディスク装置。
【発明の詳細な説明】
【０００１】
【発明の属する技術分野】
本発明は、変調した光パワーを光ディスクに照射して情報を記録する光ディスク装置に関し、更に詳細には、記録動作時のサーボ性能を向上させる構成を備えた光ディスク装置に関するものである。
【０００２】
【従来の技術】
光ディスク装置は、光ディスク等の光情報記録媒体の記録再生装置であって、通常、光ディスクに情報を記録し、また光ディスクに記録された情報を再生する光ヘッド、光ディスク上の所望の位置に光ヘッドを動かすアクセス機構、光ディスクを保持し回転する回転機構、光ヘッドやアクセス系の制御回路、再生／記録信号の信号処理回路等を備えている。
【０００３】
ここで、図６を参照して、従来の光ディスク装置の構成、特にサーボ誤差検出系、及びマルチパルス記録系の構成を説明する。図６は従来の光ディスク装置の構成を示すブロック図である。
従来の光ディスク装置１１は、光学系と、データ再生系、サーボ誤差検出系、データ記録を含むマルチパルス記録系等を備えている。
光学系
光ディスク装置１１は、光学系を光ヘッド６１にパッケージされた形で備えている。
即ち、光学系は、光源として設けられた半導体レーザ１、レーザ光を平行光にするコリメータレンズ２、平行なレーザ光の一部をスプリットするビームスプリッタ３、パワーモニタ用フォトダイオード４、レーザ光を光ディスク６上に集光する対物レンズ５、対物レンズ５を支持し、制御する２軸アクチェータ７、光ディスク６の反射光を集光する円筒レンズ８及び集光レンズ９、並びに、信号検出用フォトダイオード１０から構成され、パッケージとして光ヘッド６１に収容されている。
パワーモニタ用フォトダイオード４はビームスプリッタ３でスプリットされたレーザ光を光電変換してレーザ光の光強度信号として出力し、２軸アクチェータ７はサーボ回路３６の指令に従ってフォーカス方向およびトラッキング方向に対物レンズ５を制御する。
【０００４】
光学系では、半導体レーザ１から出射した光は、コリメータレンズ２を通って平行光となってビームスプリッタ３に入る。
ビームスプリッタ３に入射した光の一部が反射してパワーモニタ用フォトダイオード４に入射し、光電変換されて電流として出力される。パワーモニタ用フォトダイオード４の出力電流は、前置増幅器２１で電圧信号に変換された後、レーザ出力制御回路２２に入力される。
レーザ出力制御回路２２は、半導体レーザ１が所定の光パワーでレーザ光を発光するように、レーザ駆動回路２３を制御する。
【０００５】
一方、ビームスプリッタ３を透過した光は、対物レンズ５によって光ディスク６上に集光する。対物レンズ５は、２軸アクチェータ７によって支持されており、サーボ回路３６の指令に従ってフォーカス方向およびトラッキング方向に動くようになっている。
光ディスク６で反射した光は、再び、ビームスプリッタ３に入射し、そこで反射して、円筒レンズ８及び集光レンズ９によって集光され、信号検出用フォトダイオード１０に入射する。信号検出用フォトダイオード１０は４個の受光素子１０Ａ〜Ｄに分割されており、その中央付近に光ビームが入射する。
【０００６】
データ再生系
光ディスク装置１１は、データ再生系として、前置増幅器３１ａ〜３１ｄ、加算器３２、及び再生信号処理回路３３を備えている。
受光素子１０Ａ〜１０Ｄの出力電流は、それぞれ、前置増幅器３１ａ〜３１ｄで電圧信号に変換されたのち、４つの電圧信号出力が加算器３２によって加算されて、再生ＲＦ信号（Ａ＋Ｂ＋Ｃ＋Ｄ）が生成される。
再生ＲＦ信号は、再生信号処理回路３３に入り、光ディスクに記録されていたデータが復元、再生される。
【０００７】
サーボ誤差検出系
光ディスク装置１１では、光ディスク６の記録膜上に光スポットを集光させる「フォーカス・サーボ」や、光ディスク６の所定のトラックを走査させる「トラッキング・サーボ」が行われる。
サーボ誤差検出系として、光ディスク装置１１は、前置増幅器３１ａ〜３１ｄ、ＬＰＦ（Low Pass Filter ：低域通過フィルタ）３４ａ〜３４ｄ、誤差信号生成回路３５、及びサーボ回路３６を備える。
サーボ動作に必要なサーボ誤差信号は、光ディスク６から反射してきた光ビームを複数個、例えば４個に分割された受光素子１０Ａ〜Ｄで受光し、各受光素子１０Ａ〜Ｄの出力を所定の方式で演算することによって得られる。
【０００８】
光ディスク装置１１のサーボ誤差検出系の構成は、フォーカス誤差信号の検出には非点収差法を、及びトラッキング誤差信号の検出にプッシュプル法を用いたものの一例である。
前置増幅器３１ａ〜３１ｄの出力からＬＰＦ３４ａ〜３４ｄによって情報信号成分を除去したのち、誤差信号生成回路３５において下記に示す所定の演算が行われ、サーボ誤差信号が生成される。
フォーカス誤差信号（非点収差法）      ：（Ａ＋Ｃ）−（Ｂ＋Ｄ）
トラッキング誤差信号（プッシュプル法）：（Ａ＋Ｄ）−（Ｂ＋Ｃ）
サーボ誤差信号が所定の値を保つように、サーボ回路３６によって２軸アクチェータ７を制御することにより、フォーカス・サーボ、及びトラッキング・サーボが行われる。
【０００９】
サーボ誤差信号は、このように、信号検出用フォトダイオード１０の４分割された受光素子１０Ａ〜Ｄ間の出力の演算によって生成されるが、後述する本発明にとって重要なことは、各受光素子の入射光量、従って各受光素子の出力が、必ずしも等しくなっていないということである。
光学系の調整状態、光ディスクの傾き、トラッキング動作に伴う対物レンズの移動などによって、各受光素子１０Ａ〜Ｄへの入射光量、従って各受光素子の出力は、変動する。
【００１０】
マルチパルス記録系
照射する光パワーを変調することによって光ディスクに情報信号を記録するいわゆる「光変調記録方式」を用いて高密度記録を行うためには、光ディスク６の記録膜上の温度制御が重要である。
そのため、一つの記録マークを記録する場合にも、複数のパルスを組み合わせた発光波形が用いられる。これは「マルチパルス記録」と呼ばれており、その一例を図７に示す。図７はマルチパルス記録波形を示す波形図である。
マルチパルス記録（以下、簡単に記録パルスと言う）の波形は、図７に示すように、記録パワー、消去パワー及び冷却パワーのパルス列で構成され、記録マークの長短及びマーク間隔に応じて、記録パワーのパルス数及び消去パワーのパルス幅が異なる。
このように、記録時のレーザ発光波形は、記録される情報信号よりも遙に高い周波数成分をもっている。
【００１１】
図６に示す光ディスク装置１１では、記録データは、記録信号処理回路４１にてエラー訂正コードなど必要な信号が付加された後、変調される。
さらに、上述のマルチパルス記録を行うために、記録パルス生成回路４２においてパルス信号列が生成され、レーザ駆動回路２３に送られる。レーザ駆動回路２３は、記録パルス生成回路４２が指示するタイミングおよびレーザ出力制御回路２２が指示する光パワーで発光するように、半導体レーザ１を駆動する。
【００１２】
システム・コントローラー５１は、光ディスク装置１１全体の制御を行う。例えば、記録／再生制御信号は、記録及び再生の指示に応じてシステム・コントローラー５１で生成され、レーザ出力制御回路２２、記録パルス生成回路４２、再生信号処理回路３３、記録信号処理回路４１などに送られて、それぞれの動作を記録動作から再生動作に、又はその逆に変更させる。
【００１３】
尚、図６に図示していない要素として、光ディスク６を回転させスピンドル・モータや、光学系を半径方向に移動させるスレッド・モータ、それらに付随するサーボ系、外部との信号のやりとりをするインターフェース部分などがあるが、本発明に関係しないので、ここでは省略した。
【００１４】
【発明が解決しようとする課題】
ところで、サーボ誤差検出系の前置増幅器のスルーレートには、制限があって、後述するように、ある程度以上には大きくすることは難しい。
そのため、従来のサーボ誤差検出系には、以下に説明するように、前置増幅器のスルーレート制限に起因した記録パルス歪みに伴って、サーボ誤差信号に誤差が生じ、記録時のサーボ動作の精度を向上させることが難しいという問題があった。以下にこの問題を詳細に説明する。
【００１５】
（ａ）増幅器のスルーレート制限による歪み
上述したように、マルチパルス記録では、情報信号よりも遙に周波数が高く、振幅の大きな光パルス列からなる記録パルスが、光ディスク６で反射されて信号検出用フォトダイオード１０に入射する。
この記録パルスが前置増幅器３１ａ〜３１ｄのスルーレート制限によって非線形歪みを受け、その結果、サーボ誤差信号に用いられる低域成分に誤差を生じる。
ここで、図８を参照して、前置増幅器のスルーレート制限による非線形歪みの概念を説明する。図８は前置増幅器のスルーレート制限による波形歪みと平均レベル変化を示す波形図である。
図８（ａ）に示す本来の記録パルスの波形▲１▼が、たとえば前置増幅器に与えられた２０Ｖ／μｓのスルーレート制限を受けると、図８（ａ）に示すようなような記録パルスの波形▲２▼となる。
【００１６】
図８（ａ）に図示する１２０ｎｓの区間について、本来の記録パルスの波形▲１▼の平均レベル及びスルーレート制限を受けた記録パルスの波形▲２▼の平均レベルをそれぞれ計算する。
▲１▼本来の記録パルスの波形の平均レベル
図８（ｂ）に示す本来の記録パルスの波形の網掛け部分の面積
＝１Ｖ×（２０ｎｓ＋１０ｎｓ＋２０ｎｓ）
＝５０Ｖ・ｎｓ
∴平均レベル＝０．４２Ｖ
▲２▼スルーレート制限を受けた記録パルスの波形の平均レベル
図８（ｃ）に示す波形の網掛け部分の面積
＝３０Ｖ・ｎｓ
∴平均レベル＝０．２５Ｖ
となる。
【００１７】
すなわち、前置増幅器のスルーレート制限を受けた結果、記録パルスの波形の平均レベルは、本来の記録パルスの波形の平均レベルの約６０％に低下する。
また、本来の記録パルスの波形▲１▼の振幅が、１Ｖよりもさらに大きくなっても、スルーレート制限を受けた記録パルスの波形▲２▼は、変化せずに、さらに差が大きくなることから、振幅によって誤差の大きさが変化するいわゆる非線形歪みとなる。
【００１８】
ここで、更に図９を参照して、シミュレーション結果に基づいた具体的な例を挙げて説明する。図９（ａ）はシミュレーションのモデルの等価回路を示す回路図であり、図９（ｂ）はモデルのフォトダイオードに入射する光波形を示す波形図である。
シミュレーション用のモデルは、図９（ａ）に示すように、フォトダイオードと帰還付き前置増幅器（電流−電圧変換器）とを直列に接続した回路であって、小信号周波数帯域は５０ＭＨｚ（−３ｄＢ）、スルーレートは２０Ｖ／μｓ、最大出力振幅は１．４Ｖ、及び感度（フォトダイオードの感度×（電流−電圧変換抵抗値））は１０００Ｖ／Ｗである。
そして、モデルのフォトダイオードに図９（ｂ）に示す光波形を入射した場合について、入射パワーに対する出力電圧平均レベルをシミュレーション計算によって求めた。
【００１９】
入射した光波形の光パワーは、Ｐpeak（ピークパワー）と、Ｐbias（バイアスパワー）の２値をとり、Ｐbias＝０．２×Ｐpeakと設定した。
この光波形は、チャンネルクロック５０ＭＨｚ（ウィンドウ幅：Ｔｗ＝２０ｎｓ）で、それぞれ、４×Ｔｗ幅のマークとスペースを交互に記録する場合を想定している。
【００２０】
入射パワーに対する出力電圧平均レベルの変化をシミュレーションした結果を図１０に示す。
図１０で、横軸はフォトダイオードに入射するＰpeak（ピークパワー）であり、縦軸は前置増幅器の出力電圧平均レベルを示す。図１０中の実線が、本来の記録パルスの平均レベルであり、黒四角が前置増幅器の出力電圧平均レベルである。
入射パワーが増大して、出力電圧が大きくなるにつれて、前置増幅器の出力電圧平均レベルは、本来の値より低くなっており、図８で説明した非線形性を確認することできる。
【００２１】
次に、Ｐpeak＝１２００μＷにおける前置増幅器の出力電圧波形を図１１に示す。図１１中、破線が本来の記録パルスの出力波形であり、太実線が２０Ｖ／μｓのスルーレート制限を受けた記録パルスの波形である。
スルーレートで制限されているため、図８（ａ）の▲２▼と同様に、直線的な折れ線の波形となる。
【００２２】
（ｂ）増幅器スルーレート制限歪みが及ぼす影響
このように、記録パルスが、前置増幅器でスルーレート制限歪みを受けた場合、その低域成分に誤差を生じ、しかも、その誤差は、前置増幅器の出力電圧、すなわち受光素子の入射光量によって変化する。
一方、「従来の技術」で説明したように、サーボ誤差信号は、複数、例えば４個に分割された受光素子のそれぞれの出力電流信号を所定の方式で演算して生成される。
全ての各受光素子に対する入射光量が、同じ入射光量となっていれば、スルーレート制限歪みによる誤差は、演算の過程で相殺されるが、前述したように、実際には、各受光素子の入射光量は必ずしも等しくなっていないので、そのため、誤差量が受光素子毎に異なることとなり、演算によって得られるサーボ誤差信号にも誤差が生じる。
その結果、記録動作中に焦点ずれやトラックずれが生じることになり、精度の高い記録を行うことが難しい。
【００２３】
（ｃ）スルーレート増大に伴う問題
スルーレート制限歪みを避ける一つの方法として、前置増幅器のスルーレートを増大させることが考えられる。例えば、回路のバイアス電流を増やして負荷駆動能力を大きくすることにより、スルーレートを増大させることができる。
しかし、これは、消費電力の増加を招くと同時に前置増幅器が発生する雑音も増加させてしまうという問題がある。
光ディスクの高密度化に伴い、前置増幅器の低雑音化は重要な課題であり、雑音の増加は好ましくない。また、広帯域化及び低雑音化を図るために、前置増幅器は光ヘッド上に搭載されることが多く、消費電力の増加による熱の発生は、光学系の信頼性を低下させることに繋がる。
特に、フォトダイオードと前置増幅器をモノリシックに集積して透明樹脂パッケージに収めた受光素子においては、熱の発生がパッケージの光学特性を劣化させることから、消費電力の増加は避けるべきである。
以上の説明から明らかなように、スルーレート制限歪みを避けるために、前置増幅器のスルーレートを増大させることは好ましくない。
【００２４】
そこで、本発明の目的は、前置増幅器のスルーレートを増大させることなく、サーボ誤差信号の誤差を縮小し、記録時のサーボ動作の精度を向上させるようにした光ディスク装置を提供することである。
【００２５】
【課題を解決するための手段】
上述した課題を解決するために、本発明に係る光ディスク装置は、光ディスクからの反射光を複数分割方式で受光する信号検出用受光素子と、信号検出用受光素子の出力電流をそれぞれ電圧に変換する前置増幅器とを備えたサーボ誤差検出機構を有し、変調した光パワーを光ディスクに照射して情報を記録する光ディスク装置において、
前置増幅器が、周波数帯域を制限する周波数帯域制限手段を備え、記録／再生制御信号の入力により記録時に周波数帯域制限手段を動作させ、かつ再生時に動作させないようにすることを特徴としている。
【００２６】
本発明では、記録動作時に、サーボ誤差信号生成用として設けられたフォトダイオード用前置増幅器の周波数帯域を周波数帯域制限手段によって制限して、フォトダイオード用前置増幅器のスルーレート制限による記録パルス歪みを緩和している。
これにより、サーボ誤差信号の誤差を縮小し、記録時のサーボ動作の精度を向上させることができる。
【００２７】
本発明の好適な実施態様では、周波数帯域制限手段は、記録動作中の前置増幅器のスルーレート、最大出力振幅及び周波数帯域を、それぞれ、ＳＲamp 、Ｖo max 、及びｆcampとするとき、
ｆc amp ≦ＳＲamp ／（２×π×Ｖo max ）              （１）
を満足するように記録動作中の前置増幅器の周波数帯域を制限する。
尚、πは円周率である。
【００２８】
本実施態様では、以上の構成により、前置増幅器の出力電圧はスルーレート制限歪みを受けることがなくなるので、その低域成分であるサーボ誤差信号の誤差も生じない。すなわち、記録動作中も高精度のサーボ動作を行うことができる。
【００２９】
更に、図１及び図２を参照して、本発明の周波数帯域制限手段の作用を説明する。図１は、振幅Ｖo max のステップ入力信号に対して、時定数τで帯域制限された出力信号Ｖo （ｔ）の応答特性を示している。
ステップ入力の立ち上がりをｔ＝０とすると、この応答特性は、
Ｖo （ｔ）＝Ｖo max ×｛１−ｅｘｐ（−ｔ／τ）｝        （２）
で表される。
この応答が持つ最大スルーレートＳＲmax は、ｔ＝０の場合であり、
ＳＲmax ＝ｄＶo （ｔ）／ｄｔ｜t=0＝Ｖo max ／τ           (３）
一方、時定数τで帯域制限された系の−３ｄＢ帯域幅ｆc は、
ｆc ＝（２×π×τ）]1                                    (４）
である。
従って、（３）式と（４）式から
ｆc ＝ＳＲmax ／（２×π×Ｖo max ）                    （５）
という関係が成立する。
【００３０】
（５）式より、ｆc で帯域制限された系は、（５）式の関係から求められるＳＲmax を超えるスルーレート成分をもたないことになる。
したがって、記録中に（１）式を満たすように前置増幅器の周波数帯域を制限することによって、前置増幅器のスルーレートＳＲamp を超える成分は無くなり、スルーレート制限歪みによる低域成分の誤差は生じなくなる。
【００３１】
次に、図９に示した具体例によって、前置増幅器の周波数帯域制限の効果を説明する。この例では、
ＳＲamp ＝２０Ｖ／μｓ、
Ｖo max ＝１．４Ｖ
であるから、
ｆcamp≦２０（Ｖ／μｓ）／（２×π×１．４）
≦２．２７ＭＨｚ
に帯域制限すれば良い。
【００３２】
周波数帯域を２．２７ＭＨｚに下げて、図９に示す例と同様にして、シミュレーションを行った。
周波数帯域を２．２７ＭＨｚに下げたときの入射パワーに対する出力電圧平均レベルの変化をシミュレーションした結果を、周波数帯域５０ＭＨｚに比較して、同じく、図１０に示す。
◯が２．２７ＭＨｚに帯域制限した前置増幅器の出力電圧平均レベルであり、実線で示した本来の記録パルスの平均レベルと一致した。
Ｐpeak＝１２００μＷにした前置増幅器の出力電圧波形を図２に示す。前置増幅器に与えた周波数帯域制限の効果により、図１１に示すスルーレート制限を受けた波形に比べて、折れ線の傾斜が著しく緩やかになっており、スルーレート制限を受けていないことが判る。
【００３３】
また、本発明は、スルーレート制限に起因する記録パルスの歪みのみならず、オーバーシュート又はアンダーシュートによって生じるサーボ誤差信号の誤差に対しても抑止効果を持っている。
【００３４】
本発明の更に好適な実施態様では、周波数帯域制限手段を備えた前置増幅器は、
増幅器に並列に接続された帰還抵抗と、
増幅器に並列に接続され、かつ相互に縦続接続されたスイッチ及び帰還容量と
を備える。
【００３５】
本実施態様では、帰還抵抗と帰還容量とから定まる時定数τを、式（１）が満足されるように、定めることにより、記録時には、システム・コントローラからの記録／再生制御信号によってスイッチをオンにすると、時定数回路が働き、前置増幅器の周波数帯域を制限することができる。
再生時には、システム・コントローラからの記録／再生制御信号によってスイッチをオフにすることによって、周波数帯域制限機能が消失し、広帯域の電流−電圧変換を行う。
【００３６】
本発明の更に好適な別の実施態様では、周波数帯域制限手段を備えた前置増幅器は、
増幅器に並列に接続された第１帰還抵抗と、
増幅器に並列に接続され、かつ相互に縦続接続されたスイッチ及び帰還容量と、
帰還容量に並列に接続された第２帰還抵抗と
を備える。
【００３７】
本実施態様では、システム・コントローラからの記録／再生制御信号によってスイッチをオンにすると、電流−電圧変換抵抗は第１帰還抵抗と第２帰還抵抗の並列抵抗値に下がることから、信号検出用受光素子の出力電流の増大による前置増幅器の出力飽和を回避し易くなる。
また、第１帰還抵抗及び第２帰還抵抗の並列抵抗値と、帰還容量とから定まる時定数τを、式（１）が満足されるように、定めることにより、記録時には、システム・コントローラからの記録／再生制御信号によってスイッチをオンにすると、時定数回路が働き、前置増幅器の周波数帯域を制限することができる。
再生時には、システム・コントローラからの記録／再生制御信号によってスイッチをオフにすることによって、周波数帯域制限機能が消失し、広帯域の電流−電圧変換を行う。
【００３８】
【発明の実施の形態】
以下に、実施形態例を挙げ、添付図面を参照して、本発明の実施の形態を具体的かつ詳細に説明する。
実施形態例１
本実施形態例は、本発明に係る光ディスク装置の実施形態の一例であって、図３は本実施形態例の光ディスク装置の構成を示すブロック図、図４（ａ）及び（ｂ）は、それぞれ、帯域制限機能付き前置増幅器の回路図である。
本実施形態例の光ディスク装置２０は、図３に示すように、信号検出用フォトダイオード用の前置増幅器３１ａ〜３１ｄを、帯域制限機能付き前置増幅器３７ａ〜３７ｄに変更したこと、システム・コントローラ５１で生成される記録／再生制御信号を帯域制限機能付き前置増幅器３７ａ〜３７ｄに入力するようにしたことを除いて、図６に示す従来の光ディスク装置１１と同じ構成を備えている。
【００３９】
帯域制限機能付き前置増幅器３７ａ〜３７ｄは、利得切換えを持たない前置増幅器であって、前置増幅器の基本機能は電流−電圧変換であり、図４（ａ）に示すように、前置増幅器１０１に並列に接続され、増幅器１０１に負帰還をかける帰還抵抗１０２と、前置増幅器１０１に並列に接続され、かつ縦続接続された帰還容量１０３及びスイッチ１０４とから構成されている。
フォトダイオード１０６のアノードからの出力電流は、増幅器１０１の反転入力端に入力される。フォトダイオード１０６のカソードをＶbiasに接続して逆バイアスを印加することにより、フォトダイオード１０６の高速化及び高感度化を図っている。
【００４０】
本実施形態例の光ディスク装置２０では、この構成により、記録動作時には、（１）式の条件を満たすように帯域制限機能付き前置増幅器３７ａ〜３７ｄの周波数帯域を制限する。
即ち、帰還抵抗１０２と帰還容量１０３とから定まる時定数τを、式（１）が満足されるように、定めることにより、記録時には、システム・コントローラ５１からの記録／再生制御信号によってスイッチ１０４をオンにすると、時定数回路が働き、前置増幅器１０１の周波数帯域を制限することができる。
再生時には、システム・コントローラ５１からの記録／再生制御信号によってスイッチ１０４をオフにすることによって、周波数帯域制限機能が消失し、広帯域の電流−電圧変換を行う。
【００４１】
具体的な周波数帯域は、システムや使用するデバイスによって異なるが、例えば、図９のシミュレーション条件では、周波数帯域は、図５に示すように、調整されることになる。
すなわち、信号再生時には５０ＭＨｚ（−３ｄＢ）の周波数帯域を持たせる一方、記録時には周波数帯域を２．２７ＭＨｚ（−３ｄＢ）に制限する。
【００４２】
実施形態例２
本実施形態例は、本発明に係る光ディスク装置の実施形態の別の例である。
本実施形態例の光ディスク装置は、帯域制限機能付き前置増幅器３７ａ〜３７ｄが利得切換ありの前置増幅器であることを除いて、実施形態例１の光ディスク装置２０と同じ構成を備えている。
本実施形態例の光ディスク装置に設けた帯域制限機能付き前置増幅器３７ａ〜３７ｄは、図４（ｂ）に示すように、前置増幅器１０１に並列に接続され、増幅器１０１に負帰還をかける第１帰還抵抗１０２と、前置増幅器１０１に並列に接続され、かつ相互に縦続接続された帰還容量１０３及びスイッチ１０４と、帰還容量１０３に並列に接続され、増幅器１０１に負帰還をかける第２帰還抵抗１０５とから構成されている。
【００４３】
記録時には、フォトダイオード１０６への入射光量が大きくなることから、前置増幅器１０１の出力が飽和する可能性があるが、以上の構成により、記録時にスイッチ１０４をオンにすることによって、電流−電圧変換抵抗は第１帰還抵抗１０２と第２帰還抵抗１０５の並列抵抗値に下がることから、前置増幅器１０１の出力飽和を回避し易い。
また、第１帰還抵抗１０２及び第２帰還抵抗１０５の並列抵抗値と、帰還容量１０３とから定まる時定数τを、式（１）が満足されるように、定めることにより、記録時には、システム・コントローラ５１からの記録／再生制御信号によってスイッチ１０４をオンにすると、時定数回路が働き、前置増幅器１０１の周波数帯域を制限することができる。
再生時には、システム・コントローラ５１からの記録／再生制御信号によってスイッチ１０４をオフにすることにより、周波数帯域制限機能が消失し、広帯域の電流−電圧変換を行う。
【００４４】
【発明の効果】
以上述べたように、本発明は、記録時に、記録パルスが前置増幅器のスルーレート制限に起因する記録パルス歪みに伴い、サーボ誤差信号に誤差が生じるのを、信号検出用受光素子の前置増幅器の周波数帯域を制限することにより、防止することができる。
また、本発明は、スルーレート制限に起因する記録パルスの歪みのみならず、オーバーシュート又はアンダーシュートによって生じるサーボ誤差信号の誤差に対しても抑止効果を持っているので、両方の効果により、記録動作時にも、誤差のないサーボ誤差検出を可能とし、精度の高いサーボ動作を実現できる。ひいては、光ディスク装置の高密度記録性能を向上させることができる。
【図面の簡単な説明】
【図１】周波数帯域の制限によって信号のもつ最大スルーレートを制限できることを説明した図である。
【図２】記録パルスが周波数帯域制限を受けた波形をシミュレーションした結果を示す図である。
【図３】実施形態例１の光ディスク装置の構成を示すブロック図である。
【図４】図４（ａ）及び（ｂ）は、それぞれ、利得切換えを持たない、及び利得切換えをもつ帯域制限機能付き前置増幅器の回路図である。
【図５】帯域制限機能による前置増幅器の周波数特性の変化を示すグラフである。
【図６】従来の光ディスク装置の構成の一例を示す図である。
【図７】マルチパルス記録波形を示す波形図である。
【図８】図８（ａ）から（ｃ）は、それぞれ、パルス信号に対するスルーレート制限による歪みと、それに伴い平均レベルが変化することを説明する図である。
【図９】記録パルスのスルーレート制限歪みによる平均レベル変動をシミュレーションしたモデルを説明した図である。図９（ａ）はシミュレーションしたモデルの構成を示し、図９（ｂ）は想定した入射光波形を示す。
【図１０】記録パルスのスルーレート制限歪みについて、入射パワーに対する出力電圧平均レベルの変化をシミュレーションした結果を示す図である。
【図１１】記録パルスがスルーレート制限歪みを受けた波形をシミュレーションした結果を示す図である。
【符号の説明】
１……半導体レーザ、２……コリメータレンズ、３……ビームスプリッター、４……パワーモニタ用フォトダイオード、５……対物レンズ、６……光ディスク、７……２軸アクチュエータ、８……円筒レンズ、９……集光レンズ、１０……信号検出用フォトダイオード、２１……パワーモニタ用前置増幅器、２２……レーザ出力制御回路、２３……レーザ駆動回路、３１ａ〜３１ｄ……信号検出用前置増幅器、３２……加算器、３３……再生信号処理回路、３４ａ〜３４ｄ……ＬＰＦ（低域通過フィルタ）、３５……誤差信号生成回路、３６……サーボ回路、３７ａ〜３７ｄ……信号検出用帯域制限機能付き前置増幅器、４１……記録信号処理回路、４２……記録パルス生成回路、５１……システム・コントローラ、６１……光ヘッド、１０１……増幅器、１０２……帰還抵抗、１０３……帰還容量、１０４……スイッチ、１０５……第２帰還抵抗、１０６……フォトダイオード。
【図１】
0004010079.tif 000002
【図２】
0004010079.tif 000003
【図３】
0004010079.tif 000004
【図４】
0004010079.tif 000005
【図５】
0004010079.tif 000006
【図６】
0004010079.tif 000007
【図７】
0004010079.tif 000008
【図８】
0004010079.tif 000009
【図９】
0004010079.tif 000010
【図１０】
0004010079.tif 000011
【図１１】
0004010079.tif 000012